(57)【要約】【課題】  電源容量や記憶容量が不足しても簡単な操作によってフィルム撮影に切り替えて撮影を継続することができる撮影装置を提供する。【解決手段】  切替部１４は、被写体像をＣＣＤ１５に導く撮影光路Ｌ1と、被写体像をフィルム１７に導く撮影光路Ｌ2とに切り替える。切替部１４は、被写体像が撮影光路Ｌ1に導かれるように、図中実線で示すように撮影光学系４ｂの後方にミラー１４ａを下降させるとともに、被写体像が撮影光路Ｌ2に導かれるように、図中二点鎖線で示すように撮影光学系４ｂの後方からミラー１４ａを上昇させる。切替部１４は、記憶部２０の記憶容量が所定値を下回ったときや給電部２２の電源容量が所定値を下回ったときには、被写体像を撮影光路Ｌ1からＣＣＤ１５に導く電子スチル撮影動作を、被写体像を撮影光路Ｌ2からフィルム１７に導くフィルム撮影動作に切り替える。【選択図】      図１
2005257969.tif 000002
【特許請求の範囲】
【請求項１】
被写体像を撮像素子とフィルムとによって撮影可能な撮影装置であって、
前記被写体像を前記撮像素子に導く第１の撮影光路と、前記被写体像を前記フィルムに導く第２の撮影光路とに切り替える切替手段を備えること、
を特徴とする撮影装置。
【請求項２】
請求項１に記載の撮影装置において、
前記撮像素子が撮像した前記被写体像を画像情報として記憶する記憶手段と、
前記記憶手段が記憶する前記画像情報を前記フィルムに露光する露光手段とを備えること、
を特徴とする撮影装置。
【請求項３】
請求項２に記載の撮影装置において、
前記記憶手段の残り容量を検出する記憶容量検出手段を備え、
前記露光手段は、前記記憶手段の残り容量が所定値を下回ったときには、前記記憶手段が記憶する前記画像情報を前記フィルムに露光すること、
を特徴とする撮影装置。
【請求項４】
請求項２又は請求項３に記載の撮影装置において、
前記記憶手段の残り容量を検出する記憶容量検出手段を備え、
前記切替手段は、前記記憶手段の残り容量が所定値を下回ったときには、前記第１の撮影光路から前記第２の撮影光路に切り替えること、
を特徴とする撮影装置。
【請求項５】
請求項１から請求項４までのいずれか１項に記載の撮影装置において、
電力を供給する給電手段の残り容量を検出する電源容量検出手段を備え、
前記切替手段は、前記給電手段の残り容量が所定値を下回ったときには、前記被写体像を第１の撮影光路から前記第２の撮影光路に切り替えること、
を特徴とする撮影装置。
【発明の詳細な説明】
【技術分野】
【０００１】
この発明は、被写体像を撮像素子とフィルムとによって撮影可能な撮影装置に関する。
【背景技術】
【０００２】
従来の撮影装置（従来技術１）は、被写体像を撮像する撮像部と、この撮像部が撮像した画像情報を記憶する記憶部と、この記憶部から画像情報を読み出して写真フィルムに露光するとともに、画像記録済みの写真フィルムの画像を読み取る光ヘッド部とを備えている（例えば、特許文献１参照）。この従来技術１では、記憶部からの画像情報を写真フィルムに露光した後にこの画像情報を記憶部から消去したときに、再度同じ画像を写真フィルムに露光できなくなるのを防止するために、画像記録済みの写真フィルムから画像情報を読み取って保存している。また、従来の撮影装置（従来技術２）は、被写体像を撮像する撮像部と、この撮像部が撮像した画像情報を記憶する記憶部と、この記憶部から画像情報を読み出して写真フィルムに露光する潜像プリンタとを備えている（例えば、特許文献２参照）。この従来技術２では、記憶部の容量を超えて撮影を継続するようなときに、必要な画像情報のみを記憶部から選択して写真フィルムに露光して保存している。さらに、従来の撮影装置（従来技術３）は、被写体像を撮像素子に撮像する電子スチル撮影手段と、被写体像を銀塩フィルムに撮影する光学的撮影手段とを備えている（例えば、特許文献３参照）。この従来技術３では、電子スチル撮影手段と光学的撮影手段とによって同時撮影又は単独撮影が可能であり、画像記録用メモリの容量が少ないときには写真フィルムへの撮影を優先させている。
【０００３】
【特許文献１】特開2003-043572号公報
【０００４】
【特許文献２】特開2003-046831号公報
【０００５】
【特許文献３】特開平10-293358号公報
【発明の開示】
【発明が解決しようとする課題】
【０００６】
従来技術１，２では、記憶部から画像情報を読み出して写真フィルムに露光しているが、電源の容量が不足すると記憶部から画像情報を読み出したり、写真フィルムに記録したりできなくなる問題点がある。また、従来技術３では、画像記録用メモリの容量が少なくなったときには、電子スチル撮影手段から光学的撮影手段に切り替えることができるが、電源の容量が少なくなってきたときには写真フィルムを巻き上げるフィルム給送機構などを動作させることができず撮影が困難になるという問題点があった。特に、鉄道の現場では、調査や検査などの目的で多量の画像を撮影することがあり、山間部などの閑散地域での撮影や災害時の撮影では容易に電池を購入したり、撮影に必要な資材を調達したりすることができず撮影不能になってしまう問題があった。
【０００７】
この発明の課題は、電源容量や記憶容量が不足しても簡単な操作によってフィルム撮影に切り替えて撮影を継続することができる撮影装置を提供することである。
【課題を解決するための手段】
【０００８】
この発明は、以下に記載するような解決手段により、前記課題を解決する。
なお、この発明の実施形態に対応する符号を付して説明するが、この実施形態に限定するものではない。
請求項１の発明は、被写体像を撮像素子（１５）とフィルム（１７）とによって撮影可能な撮影装置であって、前記被写体像を前記撮像素子に導く第１の撮影光路（Ｌ1）と、前記被写体像を前記フィルムに導く第２の撮影光路（Ｌ2）とに切り替える切替手段（１４）を備えることを特徴とする撮影装置（１）である。
【０００９】
請求項２の発明は、請求項１に記載の撮影装置において、前記撮像素子が撮像した前記被写体像を画像情報として記憶する記憶手段（２０）と、前記記憶手段が記憶する前記画像情報を前記フィルムに露光する露光手段（２４）とを備えることを特徴とする撮影装置である。
【００１０】
請求項３の発明は、請求項２に記載の撮影装置において、前記記憶手段の残り容量を検出する記憶容量検出手段（２１）を備え、前記露光手段は、前記記憶手段の残り容量が所定値を下回ったときには、前記記憶手段が記憶する前記画像情報を前記フィルムに露光することを特徴とする撮影装置である。
【００１１】
請求項４の発明は、請求項２又は請求項３に記載の撮影装置において、前記記憶手段の残り容量を検出する記憶容量検出手段（２１）を備え、前記切替手段は、前記記憶手段の残り容量が所定値を下回ったときには、前記第１の撮影光路から前記第２の撮影光路に切り替えることを特徴とする撮影装置である。
【００１２】
請求項５の発明は、請求項１から請求項４までのいずれか１項に記載の撮影装置において、電力を供給する給電手段（２２）の残り容量を検出する電源容量検出手段（２３）を備え、前記切替手段は、前記給電手段の残り容量が所定値を下回ったときには、前記被写体像を第１の撮影光路から前記第２の撮影光路に切り替えることを特徴とする撮影装置である。
【発明の効果】
【００１３】
この発明によると、電源容量や記憶容量が不足しても簡単な操作によってフィルム撮影に切り替えて撮影を継続することができる。
【発明を実施するための最良の形態】
【００１４】
（第１実施形態）
以下、図面を参照して、この発明の第１実施形態について詳しく説明する。
図１は、この発明の第１実施形態に係る撮影装置の構成図である。
図１に示す撮影装置１は、被写体像をＣＣＤ１５とフィルム１７とに撮影可能な撮影システムであり、フィルム式カメラ（銀塩カメラ）の機能とディジタル式カメラ（電子スチルカメラ）の機能とを兼ね備えるハイブリッドカメラである。撮影装置１は、交換レンズ２と、カメラボディ３と、撮影光学系４ａ，４ｂと、シャッタ部５と、絞り部６と、測光部７は、測距部８は、ＡＦ駆動部９と、ズーム駆動部１０と、ファインダ光学系１１ａ，１１ｂと、フォーカス操作環１２は、ズーム操作環１３と、切替部１４と、ＣＣＤ１５と、信号処理部１６と、フィルム１７と、フィルム駆動部１８と、フィルム手動操作部１９と、記憶部２０と、記憶容量検出部２１と、給電部２２と、電源容量検出部２３と、光スキャン露光部２４と、電源スイッチ２５と、レリーズスイッチ２６と、撮影モード選択スイッチ２７と、撮影画像選択スイッチ２８と、表示部２９と、制御部３０などを備えている。
【００１５】
交換レンズ２は、撮影光学系４ａ，４ｂを収容する撮影装置付属品であり、カメラボディ３は交換レンズ２が装着される撮影装置本体である。撮影光学系４ａ，４ｂは、被写体像（被写体光）をＣＣＤ１５及びフィルム１７に結像させるレンズ群であり、撮影光学系４ｂは被写体像をフィルム１７に結ぶための焦点調整をする合焦レンズである。シャッタ部５は、ＣＣＤ１５及びフィルム１７への入射光線の通路を開閉する手段であり、絞り部６は撮影光学系４ａ，４ｂを通過した光線束や光量を制限する手段である。測光部７は、撮影光学系４ａ，４ｂを透過してきた被写体の明るさを測定する手段であり、測距部８は被写体までの距離を測定する手段である。ＡＦ駆動部９は、被写体の像を結ぶ焦点を調整するために撮影光学系４ｂを光軸Ｉ方向に駆動する手段であり、測距部８の測定結果に基づいて焦点調整する。ズーム駆動部１０は、焦点距離を連続的に変えて撮影するときに撮影光学系４ａ，４ｂを光軸Ｉ方向に駆動する手段である。ファインダ光学系１１ａ，１１ｂは、撮影者の目によって撮影範囲を確認するためのレンズ群であり、ファインダ光学系１１ａは対物レンズであり、ファインダ光学系１１ｂは接眼レンズである。フォーカス操作環１２は、光軸Ｉ方向に撮影光学系４ａを手動で駆動して被写体の像を結ぶ焦点調整するときに回転操作される部材であり、ズーム操作環１３は焦点距離を連続的に変えて撮影するときに操作される部材である。
【００１６】
切替部１４は、被写体像をＣＣＤ１５に導く撮影光路Ｌ1と、被写体像をフィルム１７に導く撮影光路Ｌ2とに切り替える手段である。切替部１４は、ミラー１４ａと、ミラー駆動部１４ｂと、ミラー手動操作部１４ｃと、ミラー位置検出部１４ｄと、ミラー１４ｅなどを備えている。切替部１４は、被写体像が撮影光路Ｌ1に導かれるように、図中実線で示すように撮影光学系４ｂの後方にミラー１４ａを下降させるとともに、被写体像が撮影光路Ｌ2に導かれるように、図中二点鎖線で示すように撮影光学系４ｂの後方からミラー１４ａを上昇させる。切替部１４は、記憶部２０の記憶容量が所定値を下回ったときや給電部２２の電源容量が所定値を下回ったときには、被写体像を撮影光路Ｌ1からＣＣＤ１５に導く電子スチル撮影動作を、被写体像を撮影光路Ｌ2からフィルム１７に導くフィルム撮影動作に切り替える。
【００１７】
ミラー１４ａは、撮影光学系４ａ，４ｂを透過してきた被写体像をＣＣＤ１５とフィルム１７とに振り分ける手段である。ミラー駆動部１４ｂは、ミラー１４ａを駆動する手段であり、二点鎖線で示す上昇位置と実線で示す下降位置とにミラー１４ａを昇降する。ミラー手動操作部１４ｃは、ミラー１４ａの位置を手動操作によって切り替える手段であり、給電部２２の残り容量がゼロになったときなどにミラー１４ａを手動で上昇させる。ミラー位置検出部１４ｄは、ミラー１４ａの位置を検出する手段である。ミラー位置検出部１４ｄは、ミラー１４ａが下降しているときには下降位置信号を制御部３０に出力し、ミラー１４ａが上昇しているときには上昇位置信号を制御部３０に出力する。ミラー１４ｅは、ミラー１４ａからの光を反射させてＣＣＤ１５に導く手段である。
【００１８】
ＣＣＤ１５は、撮影光学系４ａ，４ｂを透過した被写体像を画像情報に変換する光電気変換素子（撮像素子）であり、この被写体像が結像する結像面１５ａからの撮影画像を電気信号（画像情報）に変換して制御部３０に出力する。信号処理部１６は、ＣＣＤ１５が出力する電気信号を処理する回路であり、ＣＣＤ１５が出力するアナログ信号をディジタル信号に変換（Ａ／Ｄ変換）するとともに、このディジタル信号を画像処理して制御部３０に出力する。
【００１９】
フィルム１７は、撮影光学系４ａ，４ｂを透過した被写体像を撮影する銀塩フィルム（写真フィルム）であり、フィルム面（結像面）１７ａに被写体像を結ぶ。フィルム駆動部１８は、フィルム１７を巻上げ及び巻戻しする手段であり、フィルム１７を駆動する図示しないモータなどを備えている。フィルム手動操作部１９は、手動操作によってフィルム１７を巻上げ及び巻戻しする手段であり、給電部２２の電圧がゼロになりフィルム撮影を継続するときに手動操作される。
【００２０】
記憶部２０は、ＣＣＤ１５が撮像した被写体像を画像情報として記憶する手段であり、撮影年月日や撮影時間などの撮影情報とともに１画面毎の画像情報を時系列順に記憶する。記憶部２０は、カメラボディ３に着脱自在に装着可能なフラッシュメモリなどの記録媒体であり、画像情報を記録した状態でカメラボディ３から取り外してパーソナルコンピュータなどに接続可能であり、パーソナルコンピュータとの間で画像情報を送受信可能である。記憶容量検出部２１は、記憶部２０の残り容量を検出する手段であり、記憶部２０の記憶残量を監視して記憶部２０の残り記憶容量に関するメモリ残量情報（メモリ残量信号）を制御部３０に出力する。
【００２１】
給電部２２は、撮影装置１に電源を供給する手段であり、カメラボディ３に着脱自在に装着されており交換可能である。給電部２２は、例えば、カメラ用リチウム電池、アルカリマンガン電池、Ni-Cd乾電池などである。電源容量検出部２３は、給電部２２の残り容量を検出する手段であり、給電部２２の電圧を監視して給電部２２の電圧に関する電圧情報（電圧信号）を制御部３０に出力する。
【００２２】
図２は、この発明の第１実施形態に係る撮影装置における光スキャン露光部の構成図である。
光スキャン露光部２４は、記憶部２０が記憶する画像情報をフィルム１７に露光する手段であり、フィルム１７に撮影画像を記録するプリンタとして機能する。光スキャン露光部２４は、図２に示すように、光源２４ａと、コリメータレンズ２４ｂと、ポリゴンミラー２４ｃと、エフシータレンズ（ｆ−θレンズ）２４ｄなどを備えている。光源２４ａは、記憶部２０から読み出した撮影画像を照射する手段であり、RGBの発光ダイオードを発光させて独立したRGBの放射ビーム光を発生する。コリメータレンズ２４ｂは、光源２４ａからの放射ビーム光を平行光にするレンズである。ポリゴンミラー２４ｃは、図中矢印方向に回転してコリメータレンズ２４ｂからの平行光を走査し、フィルム１７に走査線を形成するミラーである。エフシータレンズ２４ｄは、ポリゴンミラー２４ｃによって走査された平行光を走査線上に収束させて露光スポットを形成するレンズである。光スキャン露光部２４は、記憶部２０の残り容量が所定値を下回ったときには、記憶部２０が記憶する画像情報をフィルム１７に露光する。
【００２３】
図１に示す電源スイッチ２５は、撮影装置１の給電部２２をON/OFFするときに操作されるスイッチであり、電源ON/OFF信号を制御部３０に出力する。レリーズスイッチ２６は、撮影動作を開始するときに操作されるスイッチであり、撮影者のON/OFF操作に応じて撮影動作開始信号を制御部３０に出力する。レリーズスイッチ２６は、半押し状態で一連の撮影準備動作を開始させ、全押し状態でカメラの露光動作などの撮影動作を開始させる。撮影モード選択スイッチ２７は、フィルム撮影モード又は電子スチル撮影モードのいずれか一方を選択するときに操作されるスイッチであり、撮影者の選択操作に応じてフィルム撮影選択信号又は電子スチル撮影選択信号を制御部３０に出力する。撮影画像選択スイッチ２８は、記憶部２０に記憶された撮影画像から任意の撮影画像を選択するときに操作されるスイッチであり、選択された画像に対応する選択画像信号を制御部３０に出力する。
【００２４】
表示部２９は、表示画面に種々の情報を表示する手段であり、ＣＣＤ１５が撮像した撮像画像を表示したり、記憶部２０から読み出した撮影画像などを再生表示したり、記憶部２０や給電部２２の容量の低下を知らせる警告を表示したりする液晶パネルなどである。
【００２５】
制御部３０は、撮影装置１の種々の動作を制御する中央処理部(CPU)である。制御部３０は、例えば、給電部２２に給電開始を指令したり、フィルム撮影動作、電子スチル撮影動作及び光スキャン露光動作を指令したり、記憶部２０の残り容量や給電部２２の残り容量が所定値を下回ったか否かを判断したり、ミラー１４ａが上昇位置か下降位置かを判断したり、切替部１４に切替動作を指令したり、画像情報の記憶を記憶部２０に指令したり、記憶部２０から画像情報を読み出したり、所定の警告を表示部２９に表示させたりする。制御部３０には、シャッタ部５、絞り部６、測光部７、測距部８、ＡＦ駆動部９、ズーム駆動部１０、切替部１４、信号処理部１６、フィルム駆動部１８、記憶部２０、記憶容量検出部２１、給電部２２、電源容量検出部２３、光スキャン露光部２４、電源スイッチ２５、レリーズスイッチ２６、撮影モード選択スイッチ２７、撮影画像選択スイッチ２８、表示部２９などが相互に通信可能なように接続されている。
【００２６】
次に、この発明の第１実施形態に係る撮影装置の動作を説明する。
図３は、この発明の第１実施形態に係る撮影装置の動作を説明するためのフローチャートである。以下では、制御部３０の動作を中心として説明する。
ステップ（以下Ｓという）１００において、電源スイッチ２５がONしたか否かを制御部３０が判断する。電源スイッチ２５が撮影者によってONされると電源スイッチ２５が電源ON信号を制御部３０に出力し、この電源ON信号に基づいて電源スイッチ２５がONしたと制御部３０が判断する。電源スイッチ２５がONしたときにはＳ２００に進み、電源スイッチ２５がOFFであるときには電源スイッチ２５がONするまで判断を繰り返す。
【００２７】
Ｓ２００において、給電部２２に制御部３０が給電開始を指令する。電源スイッチ２５がONすると給電開始信号を制御部３０が給電部２２に出力し、撮影装置１に給電部２２が電力を供給する。
【００２８】
Ｓ３００において、フィルム撮影モードが選択されたか否かを制御部３０が判断する。撮影モード選択スイッチ２７が撮影者によって操作されるとフィルム撮影選択信号又は電子スチル撮影選択信号を撮影モード選択スイッチ２７が制御部３０に出力し、これらの選択信号に基づいてフィルム撮影モードが選択されたと制御部３０が判断する。フィルム撮影モードが選択されたときにはＳ４００に進み、電子スチル撮影モードが選択されたときにはＳ５００に進む。
【００２９】
Ｓ４００において、フィルム撮影動作処理を制御部３０が指令する。被写体像をフィルム１７によって撮影するための一連の処理であるフィルム撮影動作処理の実行を制御部３０が指令する。
【００３０】
Ｓ５００において、電子スチル撮影動作処理を制御部３０が指令する。被写体像をＣＣＤ１５によって撮像するための一連の処理である電子スチル撮影動作処理の実行を制御部３０が指令する。
【００３１】
Ｓ６００において、撮影画像選択スイッチ２８がONしたか否かを制御部３０が判断する。撮影画像選択スイッチ２８が撮影者によって操作されると、選択された画像に対応する選択画像信号を撮影画像選択スイッチ２８が制御部３０に出力される。その結果、この選択画像信号に対応する撮影画像を記憶部２０から制御部３０が読み出して表示部２９に表示する。次に、撮影画像選択スイッチ２８を撮影者が操作して表示部２９に表示された撮影画像の中から任意の画像を選択すると、選択された画像に対応する選択画像信号を撮影画像選択スイッチ２８が制御部３０に再度出力する。撮影画像選択スイッチ２８がONしたときにはＳ７００に進み、撮影画像選択スイッチ２８が0FFであるときにはＳ８００に進む。
【００３２】
Ｓ７００において、光スキャン露光動作処理を制御部３０が指令する。撮影画像選択スイッチ２８によって選択された撮影画像を光スキャン露光部２４によってフィルム１７に露光するための光スキャン露光動作処理の実行を制御部３０が指令する。
【００３３】
Ｓ８００において、記憶部２０の残り容量が所定値を下回るか否かを制御部３０が判断する。記憶部２０の残り記憶容量の検出を制御部３０が記憶容量検出部２１に指令すると、記憶容量検出部２１が記憶部２０の残り容量を検出する。その結果、記憶容量検出部２１がメモリ残量信号を制御部３０に出力し、記憶部２０の残り容量が所定値を下回るか否かをこのメモリ残量信号に基づいて制御部３０が判断する。ここで、所定値は、例えば、撮影画像の１枚当たりの平均的な画像情報量に設定されており、記憶部２０の残り容量が撮影画像１枚分の画像情報量に満たない場合には所定値を下回ると制御部３０に判断される。記憶部２０の残り容量が所定値を下回るときにはＳ９００に進み、記憶部２０の残り容量が所定値以上であるときにはＳ１５００に進む。
【００３４】
Ｓ９００において、警告の表示を表示部２９に制御部３０が指令する。記憶部２０の残り容量が所定値を下回るときには、制御部３０が表示部２９に警告の表示を指令し、記憶部２０の残り容量が少なくなり電子スチル撮影動作の継続が困難である旨を警告する文字や図形などを表示画面上に表示部２９が表示する。
【００３５】
Ｓ１０００において、フィルム撮影モードが選択されたか否かを制御部３０が判断する。撮影モード選択スイッチ２７が撮影者によって操作されて、フィルム撮影モードが選択されたときには、Ｓ１１００に進み、電子スチル撮影モードが選択されたときにはＳ１２００に進む。
【００３６】
Ｓ１１００において、フィルム撮影動作処理を制御部３０が指令する。記憶部２０の残り容量が所定値を下回るときには、電子スチル撮影動作からフィルム撮影動作に変更することによって撮影を継続することができるため、フィルム撮影動作処理の実行を制御部３０が指令する。
【００３７】
Ｓ１２００において、撮影画像選択スイッチ２８がONしたか否かを制御部３０が判断する。記憶部２０の残り容量が所定値を下回る場合には、撮影者によって選択された撮影画像についてはフィルム１７に露光して記憶部２０から消去し、撮影者によって選択されなかった撮影画像については記憶部２０に残す必要がある。撮影画像選択スイッチ２８を撮影者が操作して表示部２９に表示された撮影画像の中からフィルム１７に記録する撮影画像を選択すると、選択された画像に対応する選択画像信号を撮影画像選択スイッチ２８が制御部３０に出力する。撮影画像選択スイッチ２８がONしたときにはＳ１２０に進み、撮影画像選択スイッチ２８がOFFであるときにはＳ８００に戻る。
【００３８】
Ｓ１３００において、光スキャン露光動作処理を制御部３０が指令する。その結果、撮影者が選択した撮影画像を光スキャン露光部２４がフィルム１７に露光し記録する。
【００３９】
Ｓ１４００において、画像情報の消去を制御部３０が指令する。光スキャン露光部２４が光スキャン露光動作を終了すると、フィルム１７に記録された撮影画像と同一の画像情報を消去するように記憶部２０に制御部３０が指令しＳ８００に戻る。
【００４０】
Ｓ１５００において、給電部２２の残り容量が所定値を下回るか否かを制御部３０が判断する。給電部２２の残り記憶容量の検出を制御部３０が電源容量検出部２３に指令すると、電源容量検出部２３が給電部２２の電圧を検出して電圧信号を制御部３０に出力する。その結果、給電部２２の電圧値が所定値を下回るか否かをこの電圧信号に基づいて制御部３０が判断する。ここで、所定値は、例えば、シャッタ部５、ＡＦ駆動部９及びズーム駆動部１０などを自動で動作させてフィルム撮影動作を継続可能な最低限の電圧値に設定されている。給電部２２の残り容量が所定値を下回るときにはＳ１６００に進み、給電部２２の残り容量が所定値以上であるときにはＳ３００に戻る。
【００４１】
Ｓ１６００において、警告の表示を表示部２９に制御部３０が指令する。給電部２２の残り容量が所定値を下回るときには制御部３０が表示部２９に警告の表示を指令し、給電部２２の残り容量が少なくなり自動撮影動作の継続が困難である旨を警告する文字や図形などを表示画面上に表示部２９が表示する。
【００４２】
Ｓ１７００において、フィルム撮影動作処理を制御部３０が指令する。給電部２２の残り容量が所定値を下回るときには、電子スチル撮影動作からフィルム撮影動作に変更することで撮影を継続することができる。このため、フィルム撮影動作処理の実行を制御部３０が指令する。
【００４３】
Ｓ１８００において、給電部２２の残り容量がゼロであるか否かを制御部３０が判断する。電源容量検出部２３からの電圧信号に基づいて、給電部２２の電圧値がゼロであるか否かを制御部３０が判断する。給電部２２の電圧値がゼロではないと制御部３０が判断したときにはＳ１７００に戻りフィルム撮影動作を継続する。一方、給電部２２の電圧値がゼロであると制御部３０が判断したときには一連の動作を終了する。この場合には、シャッタ部５、フォーカス操作環１２、ズーム操作環１３、切替部１４及びフィルム手動操作部１９などを撮影者が手動で操作してフィルム撮影動作を継続する。
【００４４】
図４は、この発明の第１実施形態に係る撮影装置のフィルム撮影動作処理を説明するためのフローチャートである。
Ｓ２０００において、ミラー１４ａが下降位置であるか否かを制御部３０が判断する。ミラー位置検出部１４ｄに制御部３０がミラー１４ａの位置検出を指令すると、ミラー位置検出部１４ｄがミラー１４ａの位置を検出して上昇位置信号又は下降位置信号を制御部３０に出力する。その結果、下降位置信号が制御部３０に入力したときには、図１に実線で示すようにミラー１４ａが下降していると制御部３０が判断する。ミラー１４ａが下降しているときにはＳ２１００に進み、ミラー１４ａが上昇しているときにはＳ２２００に進む。
【００４５】
Ｓ２１００において、ミラー１４ａの上昇を制御部３０がミラー駆動部１４ｂに指令する。下降位置信号が制御部３０に入力すると、二点鎖線で示す位置までミラー１４ａが上昇するように制御部３０がミラー駆動部１４ｂに指令する。
【００４６】
Ｓ２２００において、レリーズスイッチ２６がONしたか否かを制御部３０が判断する。レリーズスイッチ２６が撮影者によって操作されると撮影動作開始信号をレリーズスイッチ２６が制御部３０に出力し、この撮影動作開始信号に基づいてレリーズスイッチ２６がONしたと制御部３０が判断する。レリーズスイッチ２６がONしたときにはＳ２３００に進み、レリーズスイッチ２６がOFFであるときにはリターンする。
【００４７】
Ｓ２３００において、フィルム撮影動作を制御部３０が指令する。撮影動作開始信号が制御部３０に入力すると、測光部７及び測距部８の測定結果に基づいて絞り部６及びＡＦ駆動部９を動作させるとともにシャッタ部５を動作させる。その結果、被写体像がフィルム１７に露光してフィルム撮影が実行され、フィルム駆動部１８がフィルム１７を一駒分巻き上げる。
【００４８】
図５は、この発明の第１実施形態に係る撮影装置の電子スチル撮影動作処理を説明するためのフローチャートである。
Ｓ３０００において、ミラー１４ａが上昇しているか否かを制御部３０が判断する。ミラー位置検出部１４ｄがミラー１４ａの位置を検出して、上昇位置信号が制御部３０に入力したときには、図１に二点鎖線で示すようにミラー１４ａが上昇していると制御部３０が判断する。ミラー１４ａが上昇しているときにはＳ３１００に進み、ミラー１４ａが下降しているときにはＳ３２００に進む。
【００４９】
Ｓ３１００において、ミラー１４ａの下降を制御部３０がミラー駆動部１４ｂに指令する。上昇位置信号が制御部３０に入力すると、図１に実線で示す位置にミラー１４ａが下降するように制御部３０がミラー駆動部１４ｂに指令する。
【００５０】
Ｓ３２００において、レリーズスイッチ２６がONしたか否かを制御部３０が判断する。レリーズスイッチ２６がONしたときにはＳ３３００に進み、レリーズスイッチ２６がOFFであるときにはリターンする。
【００５１】
Ｓ３３００において、電子スチル撮影動作を制御部３０が指令する。その結果、被写体像がＣＣＤ１５に結像して電子スチル撮影が実行され、ＣＣＤ１５が画像情報を制御部３０に出力し制御部３０がこの画像情報を記憶部２０に記憶させる。
【００５２】
図６は、この発明の第１実施形態に係る撮影装置の光スキャン露光動作処理を説明するためのフローチャートである。
Ｓ４０００において、記憶部２０から画像情報を制御部３０が読み出す。Ｓ６００において、撮影画像選択スイッチ２８から選択画像信号が制御部３０に入力すると、この選択画像信号に対応する撮影画像を制御部３０が記憶部２０から読み出して光スキャン露光部２４に出力する。
【００５３】
Ｓ４１００において、光スキャン露光動作を制御部３０が指令する。光スキャン露光動作の開始を光スキャン露光部２４に制御部３０が指令すると、制御部３０が出力する撮影画像を光スキャン露光部２４がフィルム１７に照射する。次に、フィルム１７の巻上げ動作をフィルム駆動部１８に制御部３０が指令すると、フィルム駆動部１８がフィルム１７を一駒分巻き上げて、光スキャン露光部２４がフィルム１７に次の撮影画像を露光する。
【００５４】
この発明の第１実施形態に係る撮影装置には、以下に記載するような効果がある。
(1) この第１実施形態では、被写体像をＣＣＤ１５に導く撮影光路Ｌ1と、被写体像をフィルム１７に導く撮影光路Ｌ2とに切替部１４が切り替える。このため、フィルム式とディジタル式の両方の機能を備える撮影装置１を簡単な操作によって、フィルム撮影動作と電子スチル撮影動作とに切り替えることができる。
【００５５】
(2) この第１実施形態では、ＣＣＤ１５が撮像した被写体像を画像情報として記憶部２０が記憶し、この記憶部２０が記憶する画像情報を光スキャン露光部２４がフィルム１７に露光する。このため、記憶部２０が記憶する撮影画像と同じ画像を複製してフィルム１７に記録することができる。例えば、記憶部２０からパーソナルコンピュータに画像情報を簡単に送信することが困難な鉄道現場などでは、記憶部２０が記憶する撮影画像から任意の撮影画像を選択してフィルム１７に簡単に記録して保存することができる。その結果、記憶部２０の記憶領域に空き領域を形成する場合や記憶容量の低下を防ぐ場合などに、必要な撮影画像だけをフィルム１７に記録して次の撮影動作に備えることができる。
【００５６】
(3) この第１実施形態では、記憶部２０の残り容量を記憶容量検出部２１が検出し、記憶部２０の残り容量が所定値を下回ったときには、記憶部２０が記憶する画像情報をフィルム１７に光スキャン露光部２４が露光する。このため、記憶部２０の記憶容量が不足して電子スチル撮影動作の継続が不可能になるのを防ぐことができる。
【００５７】
(4) この第１実施形態では、記憶部２０の残り容量を記憶容量検出部２１が検出し、記憶部２０の残り容量が所定値を下回ったときには、撮影光路Ｌ1を撮影光路Ｌ2に切替部１４が切り替える。このため、記憶部２０の記憶容量が不足しても被写体像をフィルム１７に露光し記録して、撮影動作を継続することができる。
【００５８】
(5) この第１実施形態では、電力を供給する給電部２２の残り容量を電源容量検出部２３が検出し、給電部２２の残り容量が所定値を下回ったときには、撮影光路Ｌ1を撮影光路Ｌ2に切替部１４が切り替える。このため、給電部２２の電源容量が不足しても撮影動作を継続することができ、給電部２２の電源容量がゼロになったときには、手動で撮影動作を継続することもできる。
【００５９】
（第２実施形態）
図７は、この発明の第２実施形態に係る撮影装置の構成図である。図７では、図１及び図２に示す部分と同一の部分については、同一の番号を付し詳細な説明を省略する。
切替部１４は、図中実線で示すように被写体像とフィルム１７との間にＣＣＤ１５を下降させて、被写体像をＣＣＤ１５に導く撮影光路Ｌ1に切り替える。一方、切替部１４は、図中二点鎖線で示すように被写体像とフィルム１７との間からＣＣＤ１５を上昇させて、被写体像をフィルム１７に導く撮影光路Ｌ2に切り替える。切替部１４は、図７に示すように、遮光板１４ｆと、遮光板駆動部１４ｇと、遮光板手動操作部１４ｈと、遮光板位置検出部１４ｉなどを備えている。
【００６０】
遮光板１４ｆは、被写体像をフィルム１７に導く撮影光路Ｌ2を遮る板状部材であり、フィルム１７を覆う大きさに形成されておりフィルム１７に被写体像が露光するのを防ぐ。遮光板１４ｆには、フィルム１７とは反対側（被写体側）の表面にＣＣＤ１５が固定され保持されている。遮光板駆動部１４ｇは、遮光板１４ｆを上下方向に駆動する手段であり、図中二点鎖線で示す位置と実線で示す位置とに遮光板１４ｆを昇降する。遮光板手動操作部１４ｈは、遮光板１４ｆの位置を手動操作によって遮光板１４ｆを昇降する手段である。遮光板位置検出部１４ｉは、遮光板１４ｆの位置を検出する手段であり、遮光板１４ｆが下降しているときには下降位置信号を制御部３０に出力し、遮光板１４ｆが上昇しているときには上昇位置信号を制御部３０に出力する。
【００６１】
図８は、この発明の第２実施形態に係る撮影装置のフィルム撮影動作処理を説明するためのフローチャートである。以下では、図４に示すステップと同一のステップについては詳細な説明を省略する。
Ｓ５０００において、遮光板１４ｆが下降しているか否かを制御部３０が判断する。遮光板位置検出部１４ｉから下降位置信号が制御部３０に入力したときには、図７に実線で示すように遮光板１４ｆが下降していると制御部３０が判断する。遮光板１４ｆが下降しているときにはＳ５１００に進み、遮光板１４ｆが上昇しているときにはＳ５２００に進む。
【００６２】
Ｓ５１００において、遮光板１４ｆの上昇を制御部３０が遮光板駆動部１４ｇに指令する。下降位置信号が制御部３０に入力すると、図７に示す二点鎖線位置に遮光板１４ｆが上昇するように制御部３０が遮光板駆動部１４ｇに指令する。
【００６３】
図９は、この発明の第２実施形態に係る撮影装置の電子スチル撮影動作処理を説明するためのフローチャートである。図９では、図５に示すステップと同一のステップについては、対応する番号を付して詳細な説明を省略する。
Ｓ６０００において、遮光板１４ｆが上昇しているか否かを制御部３０が判断し、Ｓ６１００において遮光板１４ｆの下降を制御部３０が遮光板駆動部１４ｇに指令する。
【００６４】
この発明の第２実施形態では、ＣＣＤ１５を上下方向に駆動して電子スチル撮影動作とフィルム撮影動作とに切替部１４が切り替えるため、第１実施形態のようなミラー１４ａによって切り替える場合に比べてフィルム１７と撮影光学系４ｂとの間の距離が短くなり、撮影装置１をコンパクトにすることができる。
【００６５】
（他の実施形態）
この発明は、以上説明した実施形態に限定するものではなく、以下に記載するように種々の変形又は変更が可能であり、これらもこの発明の範囲内である。
(1) この実施形態では、撮影装置１が一眼レフカメラである場合を例に挙げて説明したが、交換レンズ２とカメラボディ３とが一体に構成されたコンパクトカメラについてもこの発明を適用することができる。また、この実施形態では、フィルム１７が銀塩フィルムである場合を例に挙げて説明したが、インスタントフィルムについてもこの発明を適用することができる。
【００６６】
(2) この実施形態では、ミラー１４ａの昇降によって撮影光路Ｌ1，Ｌ2を切り替えているが、ミラー１４ａとＣＣＤ１５とを一体にして撮影光路Ｌ1，Ｌ2を切り替えたり、プリズムによって撮影光路Ｌ1，Ｌ2を切り替えたりすることもできる。また、この実施形態では、被写体像を撮影者の操作によって撮影光路Ｌ1，Ｌ2に切り替えているが、通常時には被写体像をＣＣＤ１５に優先的に導き、非常時には被写体像をフィルム１７に導くように構成することもできる。さらに、この実施形態では、電源容量が所定値を下回ったときに撮影光路Ｌ1から撮影光路Ｌ2に切り替えてフィルム撮影動作を継続しているが、撮影光路Ｌ2から撮影光路Ｌ1に切り替えて電子スチル撮影動作を継続することもできる。
【図面の簡単な説明】
【００６７】
【図１】この発明の第１実施形態に係る撮影装置の構成図である。
【図２】この発明の第１実施形態に係る撮影装置における光スキャン露光部の構成図である。
【図３】この発明の第１実施形態に係る撮影装置の動作を説明するためのフローチャートである。
【図４】この発明の第１実施形態に係る撮影装置のフィルム撮影動作処理を説明するためのフローチャートである。
【図５】この発明の第１実施形態に係る撮影装置の電子スチル撮影動作処理を説明するためのフローチャートである。
【図６】この発明の第１実施形態に係る撮影装置の光スキャン露光動作処理を説明するためのフローチャートである。
【図７】この発明の第２実施形態に係る撮影装置の構成図である。
【図８】この発明の第２実施形態に係る撮影装置のフィルム撮影動作処理を説明するためのフローチャートである。
【図９】この発明の第２実施形態に係る撮影装置の電子スチル撮影動作処理を説明するためのフローチャートである。
【符号の説明】
【００６８】
１  撮影装置
１４  切替部
１４ａ  ミラー
１４ｂ  ミラー駆動部
１４ｃ  ミラー手動操作部
１４ｆ  遮光板
１４ｇ  遮光板駆動部
１４ｈ  遮光板手動操作部
１５  ＣＣＤ（撮像素子）
１７  フィルム
２０  記憶部
２１  記憶容量検出部
２２  給電部
２３  電源容量検出部
２４  光スキャン露光部
２４ａ  光源
２４ｃ  ポリゴンミラー
３０  制御部
Ｉ  光軸
Ｌ1  撮影光路（第１の撮影光路）
Ｌ2  撮影光路（第２の撮影光路）
【図１】
2005257969.tif 000003
【図２】
2005257969.tif 000004
【図３】
2005257969.tif 000005
【図４】
2005257969.tif 000006
【図５】
2005257969.tif 000007
【図６】
2005257969.tif 000008
【図７】
2005257969.tif 000009
【図８】
2005257969.tif 000010
【図９】
2005257969.tif 000011